(57)【要約】【課題】本発明は天吊形空気調和器に関し、特に病院にて複数の患者がベッドを並べている病室内を１台の空気調和器で空調を行う場合に、カーテンで仕切られるブース内の入院患者毎に異なる冷暖房の温度、吹出し空気流速などの要求に応え、快適性を向上させる。【解決手段】空気吸い込みグリル５と点検用扉６を備えた天井パネル２を略箱状のケース１Ａの下面に設けた空気調和本体ユニット１のケース１Ａ内の共用の空間部に吸気側に熱交換コイル７と吹出側にはコントローラ９ａ,９ｂ,９ｃ,９ｄにより駆動が制御可能にベッドＢＤ1,ＢＤ２,ＢＤ３,ＢＤ４と同数の送風機８Ａ,８Ｂ,８Ｃ,８Ｄを設け、ケースの側面の開口部４,４,４,４の外側には着脱可能に取付られ、風圧により開閉可能なシャッタ板１８ａを内蔵し、ダクト接続口１９ａ,１９ｂ,１９ｃ,１９ｄを有するシャッタボックス１９を設ける。【選択図】      図１
2004205174.tif 000002
【特許請求の範囲】
【請求項１】
空気吸い込みグリルおよび点検用扉を備えた天井パネルを略箱状のケースの下面に設けた空気調和本体ユニットと、前記ケース内の共用の空間部には吸気側に設けられる熱交換コイルおよび吹出側には個別のコントローラにより駆動が制御可能に空調対象とする室内のベッド数と同数が設けられた送風機と、前記送風機の空気吹出口に対応して前記ケースの側面に設けられる開口部と、該開口部の外側に着脱可能に取付られ、風圧により開閉可能なシャッタ板を内蔵し先端部にはダクト接続口を設けたシャッタボックスとから成る天吊形空気調和器。
【請求項２】
送風機の空気吹出し側のケースの外側面に、風圧により作動される逆流防止シャッタが設けられたことを特徴とする請求項１に記載の天吊形空気調和器。
【発明の詳細な説明】
【０００１】
【発明の属する技術分野】
本発明は天吊形空気調和器に関し、特に病院で最適に使用され、複数の患者がベッドを並べている同一の病室内を１台の空気調和器で空調を行う場合に、カーテンで仕切られるブース内の入院患者のベッド毎に専用の調和空気吹出し口を備えるとともに、個々に異なる吹き出し口毎に冷房、暖房の温度、吹出し空気流速などの要求に応え、快適性を向上させ、しかもその内部構造が単純で保守・点検に優れ、製作コストを安価にしようとするものである。
【０００２】
【従来の技術】
従来、病院における病室の空調システムについて、例えば１つの病室内に４つのベッドを備えた４床タイプの病室では、天井に備えた１台の空気調和器か、或いは窓下の腰壁面に設けた１台の床置形空気調和器によって、冷房または暖房を行っていた。
このような空気調和システムでは、各ベッドに横たわっている入院患者の個々の体感温度や、冷房温度または暖房温度の要求にかかわりなく、同一室内、同一温度の空調が行われている。
同一の病室内でカーテンにより仕切られるブース内における入院患者のベッド毎の複数の被空調空間に対し、１台のファンコイルユニットに専用の調和空気吹き出し口を備えて冷房または暖房を行う空気調和システムとして、例えばケーシング内に熱交換コイルを設ける熱交換室と、この熱交換室と仕切壁を介して連通する複数の分流路と、を形成し、該各分流路に、熱交換室から分流路に向かう方向に送風機と、前記被空調空間からの逆流を防止するような開閉板（シャッタ板）を懸垂状に有するダンパ機構（逆流防止シャッタ）をケーシングの分流路内の空気吸い込み側に設けたものがある（例えば、特許文献１参照。）。
【０００３】
【特許文献１】
特許第２９３０２９５号公報（第１−４頁、図１−図４）
【０００４】
【発明が解決しようとする課題】
しかしながら、特許文献１に記載の上記従来のファンコイルユニットは、ケーシング内を仕切壁により複数、例えば４個の分流路に仕切っているので、仮に冷房時において送風機の３台を停止し、残った１台の送風機のみを運転した場合には、このように運転される送風機を備える分流路と、この分流路に連通されて熱交換コイルを備える熱交換室との２つのセクション内のみが冷却されて低温になる。そして、前述の３つの分流路に収納されている送風機は、運転が停止されて冷却されずに温度が上昇するので、運転がなされている送風機を設ける前述の分流路と、運転がなされない隣接する送風機を設ける分流路とを仕切っている仕切壁と、熱交換室と、運転されていない送風機を収納する各分流路および該各分流路と熱交換室との間に介在される開閉板とには、結露が発生し、ケーシングの外部に漏水する等の事故になる。
【０００５】
仮に、結露を防止するために、送風機を収納している各分流路、熱交換室等のファンコイルユニットのケーシングの内面ばかりではなく、各分流路と熱交換室とを含む開閉板に断熱材を貼付けた場合には、開閉板の重量が増加するので、送風機の風圧に応動して円滑かつ迅速に動かなければならない開閉板の機能を阻害してしまい、開閉板の開閉動作が不確実になり、信頼性が損なわれるという不都合を生ずる。
また、引用文献１に記載の上記ファンコイルユニットは、ケーシング内に各送風機を設ける分流路は、仕切壁により仕切られるので、送風機やモータ等の修理を行う等の保守・点検を行う場合に、分流路内の狭い個所にて作業を行うことを余儀なくされるため、作業性が悪いものであった。
【０００６】
そのうえ、引用文献１に記載の上記ファンコイルユニットは、開閉板が、ケーシング内において、しかも分流路内の送風機に対し空気吸気側に設けられているので、送風機等の故障などの修理を行う場合や保守・点検を行うのに円滑に作業が行えないという不都合がある。
しかも、送風機に対してその空気吸い込み側に開閉板を設けているので、空気吹出側に較べて弱い特性をもつ遠心送風機の吸い込み側静圧により開閉板を確実に開閉させようとするには開閉板の設置面積を大きくしなければならず、外容積が嵩むことになるため、ファンコイルユニットは大形化する原因になっていた。
【０００７】
本発明は上記従来の欠点を解決し、個室並の快適性を確保して限られた施設での有効利用をはかり、またケース内に露結が生ずる心配を解決して外部に漏水する等の事故を未然に防止し、また送風機、モータ、シャッタ等の修理を行う等の保守・点検が容易で作業性が向上し、またシャッタの開閉動作が確実で信頼性が高くなり、さらには構造が簡単で製作および組付けが容易になり、製作コストが安価な天吊形空気調和機を提供しようとする。
【０００８】
【課題を解決するための手段】
本発明は上記課題に鑑みなされ、請求項１に記載の発明は、空気吸い込みグリルおよび点検用扉を備えた天井パネルを略箱状のケースの下面に設けた空気調和本体ユニットと、前記ケース内の共用の空間部には吸気側に設けられる熱交換コイルおよび吹出側には個別のコントローラにより駆動が制御可能に空調対象とする室内のベッド数と同数が設けられた送風機と、前記送風機の空気吹出口に対応して前記ケースの側面に設けられる開口部と、該開口部の外側に着脱可能に取付られ、風圧により開閉可能なシャッタ板を内蔵し先端部にはダクト接続口を設けたシャッタボックスとから成るという手段を採用した。
【０００９】
また本発明の請求項２に記載の発明は、請求項１において送風機の空気吹出し側のケースの外側面に、風圧により作動される逆流防止シャッタが設けられたことを特徴とするという手段を採用した。
【００１０】
【発明の実施の形態】
以下本発明の実施の形態の具体例を図面に従って説明する。
図１は本発明の天吊形空気調和器の第１実施形態を示す断面図、図２は同じく使用状態を示す側面図、図３は同じく本実施形態の天吊形空気調和器を４床式の病室に適用した状態を示す説明的な平面図、図４は本実施形態の天吊形空気調和器を示す正面図、図５は同じく平面図、図６は下面図、図７は左側面図、図８は右側面図である。
【００１１】
１は天井裏に隠蔽され、空気調和器の下面に設けた天井パネル２のみが天井面３に露出する空気調和本体ユニットであり、この空気調和本体ユニット１は略筒状のケース１Ａの側面に複数、図示する実施形態では４個の開口部４,４,４,４が設けられ、ケース１Ａの下面には室内空気Ｋを吸い込む空気吸い込みグリル５、および内部機器を点検する点検扉６が備えられている。
また、空気調和本体ユニット１のケース１Ａ内の共用の空間部には、吸気側に空気を冷却或いは加熱する熱交換コイル７が設けられ、および吹出側には後述のように個別のコントローラにより駆動が制御可能に調和空気Ｋ１を送風するために、室内のベッドＢＤ１、ＢＤ２、ＢＤ３、ＢＤ４に対し同数の送風機８Ａ,８Ｂ,８Ｃ,８Ｄを備えている。
【００１２】
すなわち、図３に示すようにケース１Ａの吹出側に設けられる４個の送風機８Ａ,８Ｂ,８Ｃ,８Ｄはその空気吹出口がケース１Ａの前記開口部４,４,４,４に対応して設けるとともに、各送風機８Ａ,８Ｂ,８Ｃ,８Ｄは患者のベッドＢＤ１,ＢＤ２,ＢＤ３,ＢＤ４の枕元等の患者の手に届くように備え付けられる個別のコントローラ９ａ,９ｂ,９ｃ,９ｄで個別に発停および風量調節を行うように制御可能に設けられる。これらの送風機８Ａ,８Ｂ,８Ｃ,８Ｄは、同一の病室１０内に並べられる複数のベッドＢＤ１,ＢＤ２,ＢＤ３,ＢＤ４の周りを可動式のカーテン１１で仕切ることにより出来上がる各ブース１２ａ,１２ｂ,１２ｃ,１２ｄ毎に空調対象とするベッドＢＤ１,ＢＤ２,ＢＤ３,ＢＤ４に対し同数が設けられる。
【００１３】
また、空気調和本体ユニット１のケース１Ａ内には、断熱材を貼付けたものを使用すれば、露結防止に好適である。断熱材としては、例えばグラスウールのような無機繊維と、該無機繊維の外側にアルミ箔を配したものを用いることができる。
また、空気吸い込みグリル５、および点検扉６により前記天井パネル２は形成される。１３はドレンパン、１４は室内空気Ｋをろ過するためのエアフィルタである。また前記送風機８Ａ,８Ｂ,８Ｃ,８Ｄは、ファンケース１５と、ファンロータ１６と、モータＭとで形成される。
【００１４】
前記カーテン１１は、ベッドＢＤ１,ＢＤ２,ＢＤ３,ＢＤ４の周りを囲むように天井ボード１７に設ける図には示さないレールの軌条に沿って移動する適宜個数の吊具により垂下されて移動可能になる。
【００１５】
１８は逆流防止シャッタであり、この逆流防止シャッタ１８は空調機本体ユニット１のケース１Ａの側面に設けた前記開口部４の外側に着脱可能に取付られ、風圧により開閉可能なシャッタ板１８ａを内蔵し、先端部には調和空気吹き出し用のダクト接続口１９ａ,１９ｂ,１９ｃ,１９ｄを設けたシャッタボックス１９とよりなる。また、図１において実線は送風機８Ａ,８Ｂ,８Ｃ,８Ｄの運転を停止した場合を示し、また想像線は送風機８Ａ,８Ｂ,８Ｃ,８Ｄの運転時に風圧により持ち上げられた状態を示している。
【００１６】
このように、シャッタボックス１９内にシャッタ板１８ａを有する逆流防止シャッタ１８を設けたのは、病室１０内に備えるベッドＢＤ１,ＢＤ２,ＢＤ３,ＢＤ４のうち何れかに空きベッドがある場合、または、入院患者が外泊したり、リハビリ室での訓練を行う等する時に、不在になりベッドＢＤ１,ＢＤ２,ＢＤ３,ＢＤ４の何れかが空きベッドになる場合等に、その該当するベッドの送風、空調を停止して無駄なエネルギー消費を抑制するためのものである。
【００１７】
２０は送風機８Ａ,８Ｂ,８Ｃ,８Ｄの吐出側のダクト接続口１９ａ,１９ｂ,１９ｃ,１９ｄに一端が接続され、他端はベッドＢＤ１,ＢＤ２,ＢＤ３,ＢＤ４毎に周囲を囲むカーテン１１により区画される各ブース１２ａ,１２ｂ,１２ｃ,１２ｄ内のベッドＢＤ１,ＢＤ２,ＢＤ３,ＢＤ４に対応して上方の天井ボード１７に取付られる断熱性を有するフレキシブルダクトであり、このフレキシブルダクト２０に設ける吹出し口２１から冷却または暖房された調和空気Ｋ１が吹き出されるようになっている。また、フレキシブルダクト２０の断熱性は、例えばグラスウールのような無機繊維により外側を包み、さらにアルミ箔を用いて外側を包むことにより容易に達成される。
【００１８】
２２は空気調和本体ユニット１を吊るために器外側面に設けられた吊り金具であり、この吊り金具２２は吊りボルト２３により天井裏のスラブ２４に固定される。２５はモータＭに対する配線接続用の端子台、２６,２７は熱交換コイル７に冷水または温水を供給するための配管接続口としての水入口および水出口であり、２８はドレンパン１３内に溜まったドレン水を排出するためのドレン接続口である。
【００１９】
本発明の天吊形空気調和器の一実施形態は以上の構成からなり、冷房または暖房等の空気調和を行うには運転時、空気吸い込みグリル５から吸い込まれた室内空気Ｋは、エアフィルタ１４を通過することにより空気はろ過され、その後略箱状のケース１Ａ内の吸気側に設けられる熱交換コイル７により冷却または加熱される。そして、送風機８Ａ,８Ｂ,８Ｃ,８Ｄが駆動することにより冷却または加熱される調和空気Ｋ１は送風機８Ａ,８Ｂ,８Ｃ,８Ｄのファンロータ１６により空気調和本体ユニット１のケース１Ａの外側面に着脱自在に設けたシャッタボックス１９の吐出側に設けたダクト接続口１９ａ,１９ｂ,１９ｃ,１９ｄに一端が接続され、他端はベッドＢＤ１,ＢＤ２,ＢＤ３,ＢＤ４毎に周囲を囲むカーテン１１により区画される各ブース１２ａ,１２ｂ,１２ｃ,１２ｄ内のベッドＢＤ１,ＢＤ２,ＢＤ３,ＢＤ４に対応して上方の天井ボード１７に取付られる断熱性を有するフレキシブルダクト２０の吹出し口２１から吹き出される。
【００２０】
ところで、患者は個々の体感温度や、冷房または暖房の温度の要求がそれぞれ異なり、例えば恢復期にある者、また自力歩行が可能な者と、手術後で動きのとれない者とでは代謝量が著しく異なり、さらには、患者個々の年齢差によって快適と感じる気温も相当異なるので、同一の病室１０内においても患者は自己のベッドＢＤ１,ＢＤ２,ＢＤ３,ＢＤ４の周りをカーテン１１で仕切った各ブース１２ａ,１２ｂ,１２ｃ,１２ｄ毎に自己のベッドＢＤ１,ＢＤ２,ＢＤ３,ＢＤ４の枕元等に備え付けられる個別のコントローラ９ａ,９ｂ,９ｃ,９ｄを操作することにより同一室内のベッドＢＤ１,ＢＤ２,ＢＤ３,ＢＤ４に対応して設ける送風機８Ａ,８Ｂ,８Ｃ,８Ｄを個別に発停および風量調節を行い、調和空気Ｋ１を自己の要求温度に制御する。
【００２１】
このため、例えば恢復期にあるような患者で、自力歩行が可能な人と、手術後で動きのとれない患者とで代謝量が著しく異なったり、患者個々の年齢差にもとづいて快適温度が相違する等、各ベッドＢＤ１, ＢＤ２, ＢＤ３,ＢＤ４に寝ている患者毎に冷房または暖房の温度の要求に応じて同一室内を、同一温度での一律した空調が行なわれることなく、調和空気Ｋ１を自己の要求温度に制御することができ、個室並に保証することができる。従って、同一病室で暑い、寒いといった患者同志のトラブルが発生したり、あるいは特定の患者に我慢を強いることがなくなる。
【００２２】
例えば、図３に示すように、例えばベッドＢＤ４が南面窓際にある場合に、夏の冷房時にはベッドＢＤ４に寝ている患者の冷房要求が最も高く、廊下側に設置されているベッドＢＤ１の冷房要求が最も低いのにかかわらず、廊下と南面窓の中間に設置される空気調和機により病室１０内を一律に冷房しようとすることなく、同一の病室１０のベッドＢＤ１,ＢＤ２,ＢＤ３,ＢＤ４に寝ている全ての患者の要求に合わせて各個に冷房温度を設定することができる。
【００２３】
このため、同一の病室１０内において、ベッドＢＤ１,ＢＤ２,ＢＤ３,ＢＤ４の設置場所が異なる等に起因して著しく室内温度が異なる場合に、患者自身に病気から来る不自由さがあっても、ストレスが溜まりらず、わがままで、余裕のない状態に陥いることはないので、入院患者の恢復を速めることができ、予後にも良い結果をもたらす。また、患者同志の軋轢を生ぜず、頻繁に病室１０替えを実施する等の看護する側、病院を経営する側にも負担がなくなる。
【００２４】
また、本実施形態の空気調和器は、空気調和本体ユニット１の略箱状のケース１Ａ内に、ドレンパン１３、エアフィルタ１４、共用される熱交換コイル７を吸気側に設けるとともに、またベッドＢＤ１,ＢＤ２,ＢＤ３,ＢＤ４に対応する数の送風機８Ａ,８Ｂ,８Ｃ,８Ｄを吹出側に設けてケース１Ａ内には熱交換コイル７や送風機８Ａ,８Ｂ,８Ｃ,８Ｄの風路を区画するための何らの仕切壁がないので、前述のように各ベッドＢＤ１, ＢＤ２, ＢＤ３,ＢＤ４に寝ている患者毎に冷房または暖房の温度の要求に応じて枕元等に備え付けられるコントローラ９ａ,９ｂ,９ｃ,９ｄを個別に操作することにより送風機８Ａ,８Ｂ,８Ｃ,８Ｄを個別に発停および風量調節を行い、調和空気Ｋ１を自己の要求温度に制御する場合に、各送風機８Ａ,８Ｂ,８Ｃ,８Ｄの発停が異なったり、各モータＭの回転速度が異なり風量が相違する時でもケース１Ａ内の各所での温度は差が生じないように一律に維持でき、結露を生じない。このため、ケース１Ａの外部に漏水する等の事故を未然に防止でき、空気調和本体ユニット１の外部に漏水する等の事故を防止できる。
また、空気調和本体ユニット１のケース１Ａ内には、グラスウールのような無機繊維等よりなる断熱材を貼付ければ、露結防止に好適である。
【００２５】
また、空調機本体ユニット１のケース１Ａの側面に送風機８Ａ,８Ｂ,８Ｃ,８Ｄの空気吹出口に対応して設けた開口部４,４,４,４の外側には、ダクト接続口１９ａ,１９ｂ,１９ｃ,１９ｄを先端部に有するシャッタボックス１９がケース１Ａの外側に着脱可能に取付られ、このシャッタボックス１９内には送風機８Ａ,８Ｂ,８Ｃ,８Ｄの風圧により開閉可能なシャッタ板１８ａを内蔵した逆流防止シャッタ１８を設けているので、シャッタ板１８ａは送風機８Ａ,８Ｂ,８Ｃ,８Ｄによる吹出側の強い静圧と動圧の双方により確実に開閉され、信頼性が高くなる。
図１において実線は送風機８Ａ,８Ｂ,８Ｃ,８Ｄの運転を停止した場合を示し、また想像線は送風機８Ａ,８Ｂ,８Ｃ,８Ｄの運転時に風圧により持ち上げられた状態を示している。
【００２６】
そして、病室１０内に備えるベッドＢＤ１,ＢＤ２,ＢＤ３,ＢＤ４のうち何れかに空きベッドがある場合、または、入院患者が外泊したり、リハビリ室での訓練を行う等する時に、不在になりベッドＢＤ１,ＢＤ２,ＢＤ３,ＢＤ４の何れかが空きベッドになる場合等に、その該当するベッドの送風、空調を停止すると、シャッタ板１８ａは閉じられて無駄なエネルギー消費を抑制することができる。
すなわち、シャッタボックス１９内にシャッタ板１８ａが設けられていない状態で、例えば１台の送風機８Ａを停止し、他の 送風機８Ｂ,８Ｃ,８Ｄを運転している場合に、空調機本体ユニット１内は熱交換コイル７が空気抵抗になるため、室内に対してマイナス圧力の状態になり、停止した送風機８Ａのダクト接続口１９ａを通して室内空気Ｋを空調機本体ユニット１内に吸引して、熱交換コイル７を通過しない空気が、他の運転中の送風機８Ｂ,８Ｃ,８Ｄにより再び他の吹出し口から室内に送風されることがなくなる。
【００２７】
また、空気調和器の製作および組付けは前述のように略箱状のケース１Ａ内での広スペースの下で、ドレンパン１３、エアフィルタ１４、共用される熱交換コイル７を吸気側に設けるとともに、またベッドＢＤ１,ＢＤ２,ＢＤ３,ＢＤ４に対応する数の送風機８Ａ,８Ｂ,８Ｃ,８Ｄを空気吹出側に設けてケース１Ａ内には熱交換コイル７に対する送風機８Ａ,８Ｂ,８Ｃ,８Ｄの風路を区画するための何らの仕切壁がなく、しかも部品数が少ないので、簡単に製作および組立作業が行え、外容積はコンパクトになる。
【００２８】
また、このようにして形成される空気調和器は、簡単な構造であり、ケース１Ａの下面には、空気吸い込みグリル５、および点検扉６よりなる天井パネル２が着脱自在に設けられて天井面３に露出するので、熱交換コイル７、また送風機８Ａ,８Ｂ,８Ｃ,８Ｄ、モータＭ等が故障して修繕を行うとか、部品の交換を行う時に、点検扉６を開く等することにより保守・管理も容易に行える。
【００２９】
また、空調機本体ユニット１のケース１Ａの側面に送風機８Ａ,８Ｂ,８Ｃ,８Ｄの空気吹出口に対応して設けた開口部４,４,４,４の外側には、シャッタ板１８ａを内蔵するシャッタボックス１９を着脱自在に設けているので、経年使用によりシャッタ板１８ａに空気中の汚れが付着した場合に、ケース１Ａの内部を開くことなく、シャッタボックス１９をケース１Ａの外側から外すことによりシャッタボックス１９内を掃除したり、部品の交換が行え、保守・点検が容易に行える。
【００３０】
また、病室１０のベッドＢＤ１,ＢＤ２,ＢＤ３,ＢＤ４に対応してケース１Ａ内に収納される送風機８Ａ,８Ｂ,８Ｃ,８Ｄの空気吹出し側においてケース１Ａの開口部４,４,４,４の外側に着脱自在に設けたシャッタボックス１９のダクト接続口１９ａ,１９ｂ,１９ｃ,１９ｄにフレキシブルダクト２０の一端が接続されるので、天井裏でのフレキシブルダクト２０の引き回し工事も容易に行える。
【００３１】
なお、図示する実施形態では同一の病室１０に４個のベッドＢＤ１,ＢＤ２,ＢＤ３,ＢＤ４を備えた４床式の病室１０において、４個のベッドＢＤ１,ＢＤ２,ＢＤ３,ＢＤ４に応じて空気調和本体ユニット１内に４個の送風機８Ａ,８Ｂ,８Ｃ,８Ｄを内蔵するとともに、該送風機８Ａ,８Ｂ,８Ｃ,８Ｄを個別のコントローラ９ａ,９ｂ,９ｃ,９ｄを操作して送風機８Ａ,８Ｂ,８Ｃ,８Ｄを個別に発停および風量調節を行い、調和空気Ｋ１を自己の要求温度に制御するようにしているが、空気調和本体ユニット１内に内蔵する送風機とコントローラとの設置数は、図示する実施形態に限ることなく、その増減変更は自由に行える。
【００３２】
【発明の効果】
本発明の請求項１に記載の発明は以上のように、空気吸い込みグリルおよび点検用扉を備えた天井パネルを略箱状のケースの下面に設けた空気調和本体ユニットと、前記ケース内の共用の空間部には吸気側に設けられる熱交換コイルおよび吹出側には個別のコントローラにより駆動が制御可能に空調対象とする室内のベッド数と同数が設けられた送風機と、前記送風機の空気吹出口に対応して前記ケースの側面に設けられる開口部と、該開口部の外側に着脱可能に取付られ、風圧により開閉可能なシャッタ板を内蔵し先端部にはダクト接続口を設けたシャッタボックスとから成るので、複数の患者がベッドを並べている同一の病室内を１台の空気調和器で空調を行う場合に、カーテンで仕切られるブース内の入院患者のベッド毎に冷房、暖房の温度、吹出し空気流速などの要求に応え、自己のベッドの枕元等に備え付けられる個別のコントローラを操作することにより同一室内のベッドに対応して設ける送風機を個別に発停および風量調節を行い、調和空気を自己の要求温度に制御することができる。こうして、個室並の快適性を確保でき、限られた施設の有効利用がはかれる。
またケース内に露結が生ずる心配を解決して外部に漏水する等の事故を未然に防止できる。
また送風機、モータ、シャッタ等の修理を行う等の保守・点検が容易になり、作業性が向上する。
しかも、シャッタボックスは、送風機の空気吹出し側に、ケースの開口部に対応してケースの外側に着脱可能に取付たので、送風機からの風圧によりシャッタの開閉動作が確実になり、信頼性は高くなる。
さらには構造が簡単で製作および組付けが容易になり、製作コストが安価になる。
【００３３】
また本発明の請求項２に記載の発明は、請求項１において送風機の空気吹出側のケースの外側面に、風圧により作動される逆流防止シャッタが設けられたことを特徴とするので、本体ユニット内に内臓した複数個の送風機の幾つかを停止させても吹出し口から吹き出される調和空気が逆流するのが確実に防止され、不要な空調を停止し、省エネルギーが図れ、効率的に冷房または暖房を行うことができる。
【図面の簡単な説明】
【図１】図１は本発明の天吊形空気調和器の第１実施形態を示す断面図である。
【図２】図２は同じく使用状態を示す側面図である。
【図３】図３は同じく本実施形態の天吊形空気調和器を４床式の病室に適用した状態を示す説明的な平面図である。
【図４】図４は本実施形態の天吊形空気調和器を示す正面図である。
【図５】図５は本実施形態の天吊形空気調和器を示す平面図である。
【図６】図６は下面図である。
【図７】図７は左側面図である。
【図８】図８は右側面図である。
【符号の説明】
１        空気調和本体ユニット
２        天井パネル
４        開口部
５        空気吸い込みグリル
６        点検扉
７        熱交換コイル
８Ａ      送風機
８Ｂ      送風機
８Ｃ      送風機
８Ｄ      送風機
９ａ      コントローラ
９ｂ      コントローラ
９ｃ      コントローラ
９ｄ      コントローラ
１０      病室
１２ａ    ブース
１２ｂ    ブース
１２ｃ    ブース
１２ｄ    ブース
１３      ドレンパン
１４      エアフィルタ
１８      逆流防止シャッタ
１８ａ    シャッタ板
１９      シャッタボックス
１９ａ    ダクト接続口
１９ｂ    ダクト接続口
１９ｃ    ダクト接続口
１９ｄ    ダクト接続口
２０      フレキシブルダクト
Ｋ        室内空気
Ｋ１      調和空気
【図１】
2004205174.tif 000003
【図２】
2004205174.tif 000004
【図３】
2004205174.tif 000005
【図４】
2004205174.tif 000006
【図５】
2004205174.tif 000007
【図６】
2004205174.tif 000008
【図７】
2004205174.tif 000009
【図８】
2004205174.tif 000010